(57)【要約】【課題】関連する他のファイルが存在するかが分かるようなファイル名を付与するファイル名付与装置を提供すること。【解決手段】記録媒体に記録される画像データに、所定長の文字列と拡張子が結合されたファイル名を付与するファイル名付与装置において、相互に関連する組画像のファイル名として、前記ファイル名に含まれる文字列の一部に画像の相互の関係に応じた識別記号を付与する。【選択図】図１
2020027545.tif 000002
【特許請求の範囲】
【請求項１】
記録媒体に記録される画像データに、所定長の文字列と拡張子が結合されたファイル名を付与するファイル名付与装置において、
相互に関連する組画像のファイル名として、前記ファイル名に含まれる文字列の一部に画像の相互の関係に応じた識別記号を付与する
ことを特徴とするファイル名付与装置。
【請求項２】
前記ファイル名付与装置は、前記識別記号を前記文字列の最終桁に付与する、
ことを特徴とする請求項１に記載のファイル名付与装置。
【請求項３】
前記ファイル名付与装置は、前記組画像の代表画像のファイル名には、前記代表画像の識別記号として、前記文字列の最終桁に特定の記号を付与し、前記組画像の代表画像以外の関連画像のファイル名には、前記関連画像の識別記号として、前記文字列の最終桁に前記特定の記号と異なる記号を付与する、
ことを特徴とする請求項２に記載のファイル名付与装置。
【請求項４】
前記ファイル名付与装置は、前記組画像の代表画像が前記記録媒体から消去された場合には、前記組画像の関連画像の少なくとも１つの関連画像のファイル名に付与された前記関連画像の識別記号を前記代表画像の識別記号に変更する
ことを特徴とする請求項３に記載のファイル名付与装置。
【請求項５】
前記ファイル名付与装置は、前記組画像の代表画像または前記組画像の代表画像以外の関連画像のいずれかのファイル名の撮影日付部に、前記識別記号を付与する
ことを特徴とする請求項１に記載のファイル名付与装置。
【請求項６】
前記組画像は、連写撮影、画像合成撮影、複数記録媒体への同時記録、または異なるフォーマットによる同時記録の少なくともいずれかにより撮影された複数枚の画像である
ことを特徴とする請求項１に記載のファイル名付与装置。
【請求項７】
前記ファイル名付与装置は、前記記録媒体に記録された画像が外部に送信される場合に、送信される画像と送信元の画像とを前記組画像とし、送信される画像のファイル名に、前記識別記号を付与する
ことを特徴とする請求項１に記載のファイル名付与装置。
【請求項８】
前記ファイル名付与装置は、前記記録媒体に記録された画像が画像編集された場合に、編集前後の画像を前記組画像とし、前記編集前後の組画像のファイル名に、前記識別記号を付与する
ことを特徴とする請求項１に記載のファイル名付与装置。
【請求項９】
記録媒体に記録される画像データに、所定長の文字列と拡張子が結合されたファイル名を付与するファイル名付与方法において、
相互に関連する組画像の画像データについて、当該組画像のファイル名として、前記文字列の一部に画像の相互の関係に応じた識別記号を付与する
ことを特徴とするファイル名付与方法。
【発明の詳細な説明】
【技術分野】
【０００１】
本発明は、画像データ等のファイルを記録媒体に記録する際に、ファイル名を付与する技術に関する。
【背景技術】
【０００２】
記録媒体に記録されるファイルには、所定のルールに従って、ファイル名が付与される。例えば、撮像装置で、撮影した画像データを記録媒体に画像ファイルとして保存する場合、いわゆるＤＣＦ規格（Design rule for Camera File system）の規則に則りファイル名が付与される。
【０００３】
また、ファイル名を設定する方法として、ファクシミリ受信した画像データの送信元がファイル名によって特定できるよう、画像データのファイル名を簡単に設定する方法も提案されている（特許文献１）
【先行技術文献】
【特許文献】
【０００４】
【特許文献１】特開２０１４−１９２６２２号公報
【発明の概要】
【発明が解決しようとする課題】
【０００５】
画像ファイルや音声ファイルには、ファイル間で相互に繋がりのある場合も少なくない。特に、撮影による画像ファイルが記録される記録媒体では、相互に繋がりのない単独の画像ファイルと、連写や合成撮影等によって取得された相互に関連する画像ファイルが、混在して格納されることも多い。しかし、ＤＣＦ規格によるファイル名では、数字列部分に撮影順番の番号が付与されるだけなので、記録媒体に保存された画像をファイル名リストで表示させただけでは、画像ファイル間の関連性を認識することはできない。つまり、ファイル名を見ただけでは、当該ファイルに、関連するファイルが存在するか否か知ることはできない。
【０００６】
そのため、カメラやパーソナルコンピュータを使って一度画像ファイルを開いてみないと、相互の画像の関連性が分からない。しかし、画像ファイルを１つずつ開く作業は煩雑でかつ時間がかかる。
【０００７】
本願発明は、上記課題に鑑み、関連する他のファイルが存在するかが分かるようなファイル名を付与するファイル名付与装置を提供することを目的とする。
【課題を解決するための手段】
【０００８】
上記目的を達成するために、記録媒体に記録される画像データに、所定長の文字列と拡張子が結合されたファイル名を付与するファイル名付与装置において、相互に関連する組画像のファイル名として、前記ファイル名に含まれる文字列の一部に画像の相互の関係に応じた識別記号を付与する。
【発明の効果】
【０００９】
本発明によれば、関連する他のファイルが存在するかが分かるようなファイル名を付与するファイル名付与装置を提供することができる。
【図面の簡単な説明】
【００１０】
【図１】本実施形態のファイル名付与装置が適用されたカメラの構成例を示すブロック図である。
【図２】主制御部の構成を示すハードウェアブロック図である。
【図３Ａ】連写モード及び別フォーマット記録モードにおける記録処理の構成を示す図である。
【図３Ｂ】複数記録部への記録処理の構成を示す図である。
【図３Ｃ】画像合成撮影モードにおける記録処理の構成を示す図である。
【図３Ｄ】画像編集における記録処理の構成を示す図である。
【図３Ｅ】画像消去における記録処理の構成を示す図である。
【図３Ｆ】画像送信における記録処理の構成を示す図である。
【図４Ａ】カメラ制御、特に画像記録部への画像記録処理の手順を説明するフローチャート１である。
【図４Ｂ】カメラ制御、特に画像記録部への画像記録処理の手順を説明するフローチャート２である。
【図４Ｃ】カメラ制御、特に画像記録部への画像記録処理の手順を説明するフローチャート３である。
【図５】画像データのファイル名の構成例である。
【図６】通常記録と複数記録部記録のファイル名の例(ファイル名例１，２)である。
【図７】別フォーマット記録のファイル名の例(ファイル名例３)である。
【図８】連写画像と合成画像のファイル名の例(ファイル名例４，５)である。
【図９】連写かつ複数記録部記録の画像のファイル名の例(ファイル名例６)である。
【図１０】連写かつ別フォーマット記録の画像のファイル名の例(ファイル名例７)である。
【図１１】画像合成撮影の具体例を説明する図である。
【図１２】代表画像が消去された場合に関連画像の１つを代表画像に変更する例(ファイル名例８)である
【図１３】編集画像のファイル名の例(ファイル名例９)と送信画像のファイル名の例(ファイル名例１０)である。
【図１４】代表画像の識別記号を「０」、関連画像の識別記号を「１」にした例(ファイル名例１１)である。
【発明を実施するための形態】
【００１１】
以下、図面に従って本発明の実施形態を説明する。図１は、本実施形態のファイル名付与装置が適用されたカメラ１０の構成例を示すブロック図である。
【００１２】
カメラ１０は、撮像部２０、アクセサリ情報取得部３０、時計部４０、通信部４２、操作部４４、姿勢センサ５０、ＧＰＳ５２、方位センサ５４、表示部６０、タッチパネル６２を備える。
【００１３】
撮像部２０は、不図示のレンズ、撮像素子、信号処理部等を有し、画像データを出力する。また、撮像部２０は、撮影画像に基づき、画角情報や距離情報を算出して出力する。アクセサリ情報取得部３０は、カメラ１０に装着されたアクセサリ（交換レンズ、ストロボ、三脚等）から、スペックの情報（例えば、交換レンズ情報３０ａ）を取得して出力する。
【００１４】
時計部４０は日時情報を出力する。日時情報は、撮影月日としてファイル名の一部に記録される。通信部４２は、カメラ１０と外部装置間で、画像データ等の送受信を行う。通信部４２は、例えば、無線ＬＡＮ（Local Area Network）及び／またはＵＳＢ（Universal Serial Bus）である。操作部４４は、各種操作ボタンから構成され、撮影者からカメラ１０に入力された各種指示を通知する。
【００１５】
姿勢センサ５０は、カメラ１０の傾きや手ブレを検出するセンサである。ＧＰＳ（Global Positioning System）５２は、カメラ１０の位置を検出するセンサである。方位センサ５４は、カメラ１０の向きを検出するセンサである。表示部６０は、例えばＬＣＤで、撮影画像や操作画面、あるいはファイル名リスト等の各種情報を表示する。タッチパネル６２は、表示部６０と一体的に構成され、撮影者からの各種情報が入力される。
【００１６】
また、カメラ１０は、画像記録部８０、カメラ制御部１００を備える。画像記録部８０は、撮影された画像データを記録媒体に保存記録する。画像記録部８０は、第１記録部８０ａ及び第２記録部８０ｂの２つの独立した記録部を有する。画像記録部８０は、例えば、ＳＤカードスロットを有する。
【００１７】
カメラ制御部１００は、カメラ１０全体を制御する制御部である。カメラ制御部１００は、カメラ１０に対する撮影者の操作に応じて、撮影処理、記録処理等を実行・制御する。
【００１８】
カメラ制御部１００は、主制御部１１０、画像処理部１２０、仮記録部１３０、画像合成部１４０、画像編集部１５０、記録制御部１６０、ファイル名付与部１７０、操作判定部１８０及び表示制御部１９０を備える。
【００１９】
主制御部１１０は、画像処理部１２０〜表示制御部１９０の各部を制御して、カメラ制御部１００における処理を制御する。画像処理部１２０は、仮記録部１３０に一時記憶された画像データを読み出し、この画像データに対して、ホワイトバランス補正処理、補間処理、色変換処理等の各種画像処理を行う。さらに、画像処理部１２０は、画像記録部８０に記録する際に画像データの圧縮を行い、また、再生時には画像記録部８０から読み出された圧縮された画像データの伸張を行う。
【００２０】
仮記録部１３０は、撮像部２０から出力された画像データを一時的に記憶する。仮記録部１３０は、例えば、画像データのバッファーメモリとしてＳＤＲＡＭ（Synchronous Dynamic Random Access Memory）を有する。
【００２１】
画像合成部１４０は、後述する画像合成撮影モードで撮影された複数の画像から、1つの合成画像を作成する。画像合成撮影では、例えば、被写体の各部がそれぞれの適正露出で撮影され、画像合成部１４０は、それぞれ適正露出で撮影された各部を合成して、1枚の合成画像を生成する。
【００２２】
画像編集部１５０は、撮影された画像につき、撮影者からの指示に従って、サイズや明るさや色等を補正して編集する。補正された画像は、新たな画像として記録される。
【００２３】
記録制御部１６０は、仮記録部１３０に一時記憶されて、画像処理部１２０により画像処理され所定のフォーマットで圧縮された画像データを、指定された画像記録部８０（第１記録部８０ａ及び／または第２記録部８０ｂ）に記録する。
【００２４】
ファイル名付与部１７０は、画像記録部８０に記録される画像データのファイル名を付与する。ファイル名付与部１７０は、後述する所定の付与ルールに基づき、ファイル名を生成する。記録制御部１６０は、ファイル名付与部１７０で付与されたファイル名で、画像データを画像記録部８０に記録する。
【００２５】
カメラ１０には、撮影画像を単独に記録するモードだけでなく、複数の画像を関連して記録するモードが備えられる。複数の画像を関連して記録するモードとは、連写や複数記録部記録、別フォーマット記録あるいは画像合成撮影等である。これらのモードでは、相互に関連する複数の画像が記録される。相互に関連する複数の画像は、まとめて組画像とも呼ばれる。組画像の中で、代表する１の画像を代表画像と呼ぶ。また、組画像の中で、代表画像以外の他の画像を関連画像と呼ぶ。なお、代表画像は、１枚に限られない。また、関連画像を子画像とも呼ぶ。
【００２６】
ファイル名付与部１７０は、記録される画像が代表画像あるいは関連画像であるか応じて、ファイル名を生成する。
【００２７】
操作判定部１８０は、操作部４４及びタッチパネル６２から入力された操作内容を判定する。表示制御部１９０は、ライブビュー画像や画像記録部８０から再生された画像を表示部６０に表示する。また、表示制御部１９０は、記録媒体に記録された画像の内容一覧として、ファイル名リストを表示する。
【００２８】
図２は、主制御部１１０及びファイル名付与部１７０の構成を示すハードウェアブロック図である。主制御部１１０及びファイル名付与部１７０は、ＲＯＭ２１０に格納される制御プログラムを読込んで実行するＣＰＵ２００によるソフトウェア処理により実現される。ＲＡＭ２２０は、制御プログラムや各種データを一時的に記憶するワーキングエリアを提供する。ＲＡＭ２２０は、仮記録部１３０のバッファーメモリを実現してもよい。ＲＯＭ２１０は、制御プログラムやデータを不揮発的に記憶する。また、主制御部１１０及びファイル名付与部１７０以外に、例えば、記録制御部１６０や操作判定部１８０も、ＣＰＵ２００によるソフトウェア処理により実現されてもよい。
【００２９】
図３Ａ〜図３Ｆは、撮影モードに応じた記録処理の構成をそれぞれ示す図である。図３Ａは、連写モード及び別フォーマット記録モードにおける記録処理の構成を示す図である。撮像部２０で撮影された画像データがカメラ制御部１００に入力される。仮記録部１３０は、入力された画像データを一時記録する。画像処理部１２０は、仮記録部１３０に記録された画像データについて、ＷＢ処理、補間処理や圧縮処理等を実行する。
【００３０】
連写モードでは、一連の連写画像により組画像が構成される。ファイル名付与部１７０が、所定のルールに従い、連写画像のファイル名を生成する。ファイル名付与部１７０は、ファイル名に含まれる文字列の一部に、代表画像か関連画像であるかを示す識別記号を付与する。詳細は、図４以降で説明する。記録制御部１６０は、ファイル名付与部１７０で生成されたファイル名で、撮影順に従って連写画像を画像記録部８０に記録する。
【００３１】
別フォーマット記録モードでは、異なるフォーマットで記録された複数の画像により組画像が構成される。異なるフォーマットとは、例えば、「ＪＰＥＧ」と「ｒａｗ」の組み合わせである。なお、以下では、「ＪＰＥＧ」フォーマットを主フォーマットと呼び、「ｒａｗ」フォーマットを別フォーマットと呼ぶ。主フォーマットの画像が代表画像、別フォーマットの画像が関連画像となる。
【００３２】
ファイル名付与部１７０は、フォーマットの異なる複数の画像のファイル名の文字列の一部に、代表画像か関連画像であるかを示す識別記号を付与して、ファイル名を生成する。記録制御部１６０は、ファイル名付与部１７０で生成されたファイル名で、フォーマットの異なる複数の画像を画像記録部８０に記録する。
【００３３】
図３Ｂは、複数記録部への記録処理の構成を示す図である。複数記録部記録で行われる記録処理である。複数記録部記録とは、同一の撮影画像を複数の記録媒体（本例では、第1記録部８０ａ及び第1記録部８０ｂ）にそれぞれ記録するモードである。
【００３４】
記録制御部１６０は、画像処理部１２０による各種処理が終了した画像データを、第１記録部８０ａ及び第２記録部８０ｂの両方に記録する。記録の圧縮率やフォーマットは、同一でも異なっていてもよい。複数記録部に記録される複数の画像により、組画像が構成される。例えば、第１記録部８０ａに記録される画像が代表画像で、第２記録部８０ｂに記録される画像が関連画像となる。この場合には、第２記録部８０ｂを副記録部とも呼ぶ。なお、逆でも良い。
【００３５】
ファイル名付与部１７０は、第1記録部８０ａ及び第1記録部８０ｂに記録する画像のファイル名として、ファイル名に含まれる文字列の一部に、代表画像か関連画像であるかを示す識別記号を付与して、ファイル名を生成する。
【００３６】
図３Ｃは、画像合成撮影モードにおける記録処理の構成を示す図である。画像合成撮影モードとは、撮像部２０で、異なる撮影条件（露出あるいはピント）で撮影を行わせて、異なる条件で撮影された複数の画像データから1枚の画像データを合成して、撮影するモードである。画像合成部１４０が、複数の撮影画像データから合成画像を生成する。少なくとも２つの元画像データと１つの合成画像データにより、組画像が構成される。複数の撮影画像が関連画像で、合成画像が代表画像になる。
【００３７】
ファイル名付与部１７０が、合成処理に係る複数の画像に対して、ファイル名の文字列の一部に、代表画像か関連画像であるかを示す識別記号を付与して、ファイル名を生成する。記録制御部１６０は、生成されたファイル名で、画像合成撮影に係る複数の画像を画像記録部８０に記録する。
【００３８】
図３Ｄは、画像編集における記録処理の構成を示す図である。撮影後の画像編集モードで行われる記録処理である。記録制御部１６０は、画像記録部８０から編集される画像データを読み出して、仮記録部１３０に格納する。読み出されて伸張された画像データが表示部６０に表示され、画像編集部１５０は、撮影者の指示に従い、画像の編集処理を実行する。編集前の画像と編集後の画像により、組画像が構成される。編集前の画像を代表画像とし、編集後の画像を関連画像とする。逆に、最後に編集された画像を代表画像とし、それ以前の画像を関連画像としてもよい。
【００３９】
ファイル名付与部１７０が、画像編集に係る複数の画像に対して、ファイル名の文字列の一部に、代表画像か関連画像であるかを示す識別記号を付与して、ファイル名を生成する。また、ファイル名付与部１７０は、編集の順番を識別記号として付与してもよい。記録制御部１６０は、編集処理された画像データを、生成されたファイル名で画像記録部８０に記録する。
【００４０】
図３Ｅは、消去処理における記録処理の構成を示す図である。前述した連写画像の代表画像が消去された場合に、代表画像が不明になると、組画像内の関係も不明になる。ファイル名付与部１７０が、代表画像が消去された場合には、組画像の関連画像の少なくとも１つの関連画像のファイル名を代表画像としてのファイル名に変更する。記録制御部１６０は、画像記録部８０の対応するファイル名を変更する。
【００４１】
図３Ｆは、画像送信処理における記録処理の構成を示す図である。撮影後の画像送信モードで行われる送信処理である。記録制御部１６０は、撮影者から指示された送信される画像（送信元画像）を画像記録部８０から読み出して、仮記録部１３０に格納する。送信元画像と送信される画像により組画像が構成される。送信元画像が代表画像、送信される画像が関連画像になる。
【００４２】
ファイル名付与部１７０が、送信される画像に対して、ファイル名の文字列の一部に、関連画像を示す識別記号を付与して、ファイル名を生成する。記録制御部１６０は、送信される画像データに、生成された新たなファイル名を付与する。通信部４２は、送信元画像とは異なる新たなファイル名が付与された画像を、ネットワークＮＷ経由で、指定された外部機器３００（クラウドサーバでも可）に送信する。外部機器３００に、関連画像を示すファイル名の画像が格納される。
【００４３】
図４Ａ〜図４Ｃは、カメラ制御、特に画像記録部８０への画像記録処理の手順を説明するフローチャートである。
【００４４】
主制御部１１０は、操作部４４等の操作に応じて、撮影モードであるかを判断する（ステップＳ１０）。主制御部１１０は、撮影モードであると判断すると（ステップＳ１０のＹＥＳ）、撮像部２０により撮像を行い、ライブビュー画像を表示部６０に表示する（ステップＳ１２）。画像処理部１２０が、所定の処理をしてライブビュー画像を生成する。なお、操作部４４やタッチパネル６２で何らか操作がされると、操作判定部１８０が操作内容を判定して、主制御部１１０に通知する。主制御部１１０は、操作判定部１８０からの通知により、操作の内容を判断して、対応する制御を行う。
【００４５】
主制御部１１０は、モード変更操作やパラメータ設定操作がされたかを判断する（ステップＳ１４）。主制御部１１０は、モード変更操作やパラメータ設定操作がされたと判断すると（ステップＳ１４のＹＥＳ）、操作に応じてモードやパラメータ設定を行う（ステップＳ１６）。主制御部１１０は、モード変更操作やパラメータ設定操作がされていないと判断すると（ステップＳ１４のＮＯ）、ステップＳ１８に進む。
【００４６】
主制御部１１０は、撮影指示がされたかを判断する（ステップＳ１８）。例えば、主制御部１１０は、操作部４４に含まれるレリースボタン（不図示）の押下により、撮影指示がされたかを判断する。主制御部１１０は、撮影指示がされていないと判断すると（ステップＳ１８のＮＯ）、ステップＳ１０に戻る。
【００４７】
主制御部１１０は、撮影指示がされたと判断すると（ステップＳ１８のＹＥＳ）、設定されたモード、パラメータで撮影を行う（ステップＳ２０）。主制御部１１０は、撮影終了したかを判断する（ステップＳ２２）。撮影中には、仮記録部１３０が、撮像部２０から出力される画像データを一時記録する。主制御部１１０は、撮影が終了していないと判断すると（ステップＳ２２のＮＯ）、ステップＳ２０に戻る。主制御部１１０は、撮影が終了したと判断すると（ステップＳ２２のＹＥＳ）、仮記録部１３０により一時記録された画像データが画像記録部８０へ記録される処理を開始する。なお、ステップＳ２２での撮影終了の判断を無くして、１枚の撮影毎にファイル名をつけるようにしてもよい。撮影毎にファイル名付けを行う方が、撮影直後のメモリの交換などでファイルが見つからなくなるような事を防止できるからである。ただし、ステップＳ２２の分岐を設けた方が、連写終了後に、まとめてファイル名をつけるので、連写の結果を反映させたファイル名変更がより容易になる。
【００４８】
前述のように、ファイル名付与部１７０により、代表画像か関連画像であるかを示す識別記号が付与されて、ファイル名が生成される。記録制御部１６０が、生成されたファイル名で、画像データを画像記録部８０に記録する。
【００４９】
図５は、本実施形態における画像データのファイル名の構成例である。ファイル名（ＰＭＤＤＮＮＮＣ.ｊｐｇ）は、本体部（ＰＭＤＤＮＮＮＣ）と拡張子（.ｊｐｇ）から構成される。拡張子は、ファイル形式の種類を示す。「ｊｐｇ」は、ファイルがＪＰＥＧフォーマットであることを示す。ファイルがｒａｗフォーマットの場合は、「ｏｒｆ」が拡張子となる。
【００５０】
本体部の1桁目の「Ｐ」は固定文字部である。本体部の２〜４桁目の「ＭＤＤ」は、撮影月日を示す日付部である。「Ｍ」は撮影月を示し、１・・・９、Ａ，Ｂ，Ｃである。「ＤＤ」は撮影日を示し、０１〜３１である。また、日付部を、関連画像を識別するための識別記号部として利用してもよい。組画像同士では、一般に日付部が同一になるから、各画像のそれぞれに日付が付与される必要はないからである。日付部を第2の識別記号部とも呼ぶ。
【００５１】
本体部の５〜７桁目の「ＮＮＮ」は、撮影順の画像番号である。「ＮＮＮ」は、００１〜９９９である。本体部の最終桁の８桁目「Ｃ」は、代表画像と関連画像を識別するための識別記号部である。日付部と区別するために、最終桁を第1の識別記号部とも呼ぶ。
【００５２】
以下では、第１の識別記号部（最終桁）には、代表画像の場合には識別記号「１」、関連画像の場合には識別記号「０」が付与される。そして、第２の識別記号部（日付部）には、関連画像として識別記号「１００」が付与される。
【００５３】
ファイル名付与部１７０は、今回の撮影が「連写あるいは画像合成撮影」であるかを判断する（ステップＳ２４）。ファイル名付与部１７０は、今回の撮影が「連写あるいは画像合成撮影」でないと判断すると（ステップＳ２４のＮＯ）、更なる条件（複数記録部記録あるいは別フォーマット記録）に応じて処理を行う（ステップＳ３０）。
【００５４】
ファイル名付与部１７０は、今回の撮影が複数記録部記録あるいは別フォーマット記録のいずれでもない場合には、記録される画像が単独撮影による画像として、第１の識別記号部に代表画像の識別記号を付与したファイル名を生成する（ステップＳ３２）。ファイル名付与部１７０は、単独撮影による画像も、便宜上代表画像として取り扱う。
【００５５】
図６Ａ〜図６Ｄは、ファイル名の具体例である。「代表／関連」は、対応する画像が代表画像であるかあるいは関連画像であるかを示す。また、「撮影モード」は、そのファイルの撮影モードを示す。以下のファイル名付与処理を、図６Ａ〜図６Ｄの各ファイル名の具体例を参照して、説明する。
【００５６】
図６のファイル名例１のファイル名は、ステップＳ３２で説明した単独撮影による画像のファイル名である。日付部の「６０２」は、６月２日を示す。画像番号の「００１」、「００２」は、記録の順番を示す連続番号である。ステップＳ３２で説明したように、ファイル名付与部１７０は、単独撮影による画像も、代表画像として取り扱い、最終桁（第１の識別記号部）に代表画像の識別記号として「１」を付与する。
【００５７】
ファイル名付与部１７０は、撮影が複数記録部記録（第1記録部８０ａと第2記録部８０ｂの両方記録）の場合には、２つの画像のファイル名に、同一の画像番号を付与する（ステップＳ３４）。そして、ファイル名付与部１７０は、関連画像の日付部だけに識別記号を付与する（ステップＳ３６）。関連画像は、第２記録部８０ｂに記録される画像である。ファイル名付与部１７０は、第１記録部８０ａに記録される画像（代表画像）のファイル名の日付部には、通常通り撮影月日を付与する。
【００５８】
図６のファイル名例２−１、ファイル名例２−２は、複数記録部に記録された画像のファイル名の各例である。前述のように、第１記録部８０ａに記録された画像を代表画像とし、第２記録部８０ｂに記録された画像を関連画像とする。
【００５９】
ファイル名例２−１で、第2記録部８０ｂに記録される画像の日付部（第2の識別記号部）に、識別記号として「１００」が付与される。第１記録部８０ａに記録される画像の日付部は、撮影月日そのままが付与される。
【００６０】
また、複数記録部記録の識別として、上述した日付部（第2の識別記号部）ではなく、最終桁（第１の識別記号部）を、利用してもよい。ファイル名例２−２は、最終桁（第１の識別記号部）を複数記録部記録の識別に利用した例である。第1記録部８０ａに記録された画像のファイル名の最終桁に、代表画像であることを示す「１」が付与される。第２記録部８０ｂに記録された画像を画像のファイル名の最終桁に、関連画像であることを示す「０」が付与される。ファイル名例２−２の例では、代表画像および関連画像のいずれも日付部には、撮影月日が付与される。なお、日付部（第2の識別記号部）を複数記録部記録の識別に、最終桁（第１の識別記号部）を他の識別に利用するようにしてもよい。
【００６１】
次に、撮影モードが別フォーマット記録の場合を説明する。ファイル名付与部１７０は、今回の撮影が別フォーマット記録の場合には、複数のフォーマットの各画像に同一の画像番号を付与し（ステップＳ３８）、関連画像（別フォーマット記録の画像）の日付部に、関連画像の識別記号を付与する（ステップＳ４０）。複数のフォーマットの中で、従となる方のフォーマットを別フォーマットと呼ぶ。
【００６２】
図７のファイル名例３−１は、別フォーマット記録の画像データのファイル名の例である。上段が、ＪＰＥＧフォーマットのファイル名で、下段がｒａｗフォーマットのファイル名である。「ｏｒｆ」は、ｒａｗ画像を示す拡張子である。本例では、ＪＰＥＧで記録された画像データを代表画像とし、他のフォーマットで記録された画像データを関連画像としている。下段のｒａｗフォーマットのファイル名で、日付部に識別記号「１００」が付与される。
【００６３】
図７のファイル名例３−２は、別フォーマット記録における他のファイル名の例であって、本体部の最終桁（第１の識別記号部）を識別記号部とした例である。下段のｒａｗフォーマットのファイル名で、最終桁に、関連画像の識別記号「０」が付与される。
【００６４】
ステップＳ３２、ステップＳ３６、ステップＳ４０の後、記録制御部１６０は、ファイル名付与部１７０で付与されたファイル名で、画像を画像記録部８０に記録する（ステップＳ４２）。ステップＳ４２の後、主制御部１１０は、ステップＳ１０に戻る。
【００６５】
ステップＳ２４に戻る。ファイル名付与部１７０は、今回の撮影が「連写あるいは画像合成撮影」であると判断すると（ステップＳ２４のＹＥＳ）、図４Ｂに進み、画像合成撮影であるかを判断する（ステップＳ５０）。
【００６６】
ファイル名付与部１７０は、今回の撮影が画像合成撮影でないと判断すると（ステップＳ５０のＮＯ）、連写として処理する。ファイル名付与部１７０は、連写の各画像のファイル名の本体部の５〜７桁目に、撮影順の連続する画像番号を付与する（ステップＳ５２）。ファイル名付与部１７０は、連写の代表画像に対し、ファイル名の最終桁（第１の識別記号部）に代表画像の識別記号を付与する（ステップＳ５４）。連写の代表画像は、例えば、連写開始（最初）の画像である。
【００６７】
図８のファイル名例４は、連写画像のファイル名の例である。ファイル名例４で、上２つのファイル名（画像番号３１、３２）は、単独撮影による画像のファイル名である。ファイル名例４で、上から３つ目以降の４ファイル名（画像番号３３，３４，３５、３６）が、連写画像のファイル名である。
【００６８】
画像番号３３の画像が連写開始の画像として、代表画像となる。画像番号３３の画像のファイル名には、最終桁に「１」が付与される。画像番号３４〜３６の画像は、連写の関連画像であるので、各画像のファイル名には、最終桁に「０」が付与される。
【００６９】
ステップＳ５０に戻る。ファイル名付与部１７０は、今回の撮影が画像合成撮影であると判断すると（ステップＳ５０のＹＥＳ）、画像合成撮影として処理する。
【００７０】
図１１は、画像合成撮影の１例を説明する図である。図１１の例は、場所によって適正露出が異なる被写体について、それぞれ適正露出で撮影した画像から対応する部分を切出して、合成して、1枚の合成画像を生成する例である。
【００７１】
図１１の被写体では、その頭部と羽根の適正露出が異なるとする。Ｎｏ１の画像は、被写体の頭部に露出を合わせて撮影した画像である。Ｎｏ２は、被写体の羽根に露出を合わせて撮影した画像である。Ｎｏ1とＮｏ２の画像は、連続して撮影される。Ｎｏ３は、Ｎｏ１の画像の頭部とＮｏ２の画像の羽根とが、合成された合成画像である。画像合成部１４０が合成処理を行う。
【００７２】
ファイル名付与部１７０は、各部が撮影された画像（パーツ画像とも呼ばれる）を関連画像として、パーツ画像のファイル名の最終桁に関連画像の識別記号である「０」を付与する（ステップＳ５６）。ファイル名付与部１７０は、合成処理された合成画像を代表画像として、合成画像のファイル名の最終桁に代表画像の識別記号である「１」を付与する（ステップＳ５８）。
【００７３】
図８のファイル名例５は、合成画像のファイル名の例である。画像番号４０と４１の画像がパーツ画像（関連画像）である。関連画像である画像番号４０と４１の画像のファイル名の最終桁に、識別記号として「０」が付与される。
【００７４】
画像番号４２の画像が合成画像である。代表画像である画像番号４２の画像のファイル名の最終桁に、識別記号として「１」が付与される。
【００７５】
ファイル名付与部１７０は、今回の撮影が複数記録部記録であるかを判断する（ステップＳ６０）。つまり、今回の撮影が、連写でかつ複数記録部記録の場合である。
【００７６】
ファイル名付与部１７０は、今回の撮影が連写かつ複数記録部記録であると判断すると（ステップＳ６０のＹＥＳ）、関連画像（第２記録部８０ｂ）のファイル名に、代表画像（第１記録部８０ａ）と同一の画像番号を付与する（ステップＳ６２）。ファイル名付与部１７０は、関連画像のファイル名の日付部だけに、関連画像の識別記号を付与する（ステップＳ６４）。関連画像は、例えば、第２記録部８０ｂに記録される画像である。
【００７７】
図９のファイル名例６は、連写かつ複数記録部記録の画像のファイル名の例である。連写の識別については、第１記録部８０ａ及び第2記録部８０ｂの連写開始の画像が、代表画像となり、ファイル名の最終桁に「１」が付与される。それ以外の画像が、関連画像となり、ファイル名の最終桁に「０」が付与される。
【００７８】
また、複数記録部記録の識別については、第２記録部８０ｂの画像が関連画像となるので、第２記録部８０ｂの画像の日付部（第２の識別記号部）に、関連画像として識別記号「１００」が付与される。
【００７９】
ファイル名付与部１７０は、今回の撮影が連写かつ複数記録部記録でないと判断すると（ステップＳ６０のＮＯ）、連写かつ別フォーマット記録であるかを判断する（ステップＳ７０）。ファイル名付与部１７０は、連写かつ別フォーマット記録であると判断すると（ステップＳ７０のＹＥＳ）、関連画像（別フォーマット画像）の画像番号に代表画像（主フォーマット画像）と同一の画像番号を付与する（ステップＳ７２）。さらに、ファイル名付与部１７０は、関連画像の日付部に、関連画像の識別記号を付与する（ステップＳ７４）。
【００８０】
図１０のファイル名例７は、連写かつ別フォーマット記録の画像のファイル名の例である。画像番号３３である異なるフォーマットの２つの画像が連写開始の画像で、連写の代表画像である。画像番号３３の２つの画像は、主フォーマット（ＪＰＥＧ）と別フォーマット（ｒａｗ）における連写の代表画像となり、それぞれファイル名の最終桁に「１」が付与される。それ以外の画像（各３枚づつ）は、連写の関連画像となり、ファイル名の最終桁に関連画像の識別記号として「０」が付与される。
【００８１】
別フォーマット記録の識別については、主フォーマット（ＪＰＥＧ）の画像が代表画像となり、別フォーマットの画像（ｒａｗ）が関連画像となる。別フォーマットの画像（ｒａｗ）のファイル名には、日付部に、関連画像を示す識別記号（１００）が付与される。
【００８２】
ファイル名付与部１７０は、今回の撮影が別フォーマット記録でないと判断する（ステップＳ７０のＮＯ）、ステップＳ４２に進む。また、ファイル名付与部１７０は、ステップＳ６４及びステップＳ７４の後も、ステップＳ４２に進む。
【００８３】
ステップＳ１０に戻る。主制御部１１０は、撮影モードでないと判断すると（ステップＳ１０のＮＯ）、図４Ｃに進み、再生モードであるかを判断する（ステップＳ８０）。主制御部１１０は、再生モードであると判断すると（ステップＳ８０のＹＥＳ）、記録制御部１６０は指定された画像ファイルを画像記録部８０から読出して、表示制御部１９０が再生画像を表示部６０に表示する（ステップＳ８２）。
【００８４】
主制御部１１０は、操作部４４等から消去指示がされたかを判断する（ステップＳ８４）。主制御部１１０は、消去指示がされたと判断すると（ステップＳ８４のＹＥＳ）、ファイル名付与部１７０は、消去指示された画像が代表画像であるかを判断する（ステップＳ８６）。ファイル名付与部１７０は、消去指示された画像が代表画像であると判断すると（ステップＳ８６のＹＥＳ）、消去される代表画像に対応する関連画像の１つにつき、そのファイル名の識別記号を、関連画像から代表画像に変更する。
【００８５】
図１２は、ファイル名例８である。ファイル名例８は、連写の代表画像が消去された場合に関連画像の１つを代表画像に変更する例である。画像番号３３の連写の代表画像が消去指示されたとする。ファイル名付与部１７０は、代表画像に最も近い関連画像である画像番号３４のファイル名の最終桁を「０」から「１」に変更する。これにより、画像番号３４のファイル名が代表画像に変更される。すなわち、記録制御部１６０は、代表画像を消去するとともに、直近の関連画像のファイル名を代表画像のファイル名に書換える。
【００８６】
主制御部１１０は、消去指示がされていないと判断する（ステップＳ８４のＮＯ）、編集が指示されたかを判断する（ステップＳ９０）。主制御部１１０は、編集が指示されたと判断すると（ステップＳ９０のＹＥＳ）、画像編集部１５０は、操作者の指示に従って、変種処理を行う。画像編集とは、トリミング、回転、反転、色補正やコントラスト調整等である。
【００８７】
ファイル名付与部１７０は、編集前後の各画像のファイル名に同一画像番号を付与する（ステップＳ９２）。そして、ファイル名付与部１７０は、編集前後の各画像ごとに異なる識別記号を付与する（ステップＳ９４）。例えば、ファイル名付与部１７０は、ファイル名の最終桁の識別記号に、異なる数字を付与する。
【００８８】
図１３のファイル名例９は、編集画像のファイル名の例である。ファイル名例９は、編集前の画像（１ｓｔ（元画像））および編集された画像（２ｎｄ、３ｒｄ、４ｔｈ）のファイル名を、編集の順番に並べたものである。１ｓｔの元画像のファイル名の最終桁に、代表画像の識別記号「１」が付与される。そして、編集が行われるたびに、ファイル名の最終桁の識別記号の数字が、＋１されていく。主制御部１１０は、編集が指示されていないと判断した場合や（ステップＳ９０のＮＯ）、ステップＳ８８及びステップＳ９４の後は、ステップＳ８０に戻る。
【００８９】
ステップＳ８０に戻る。主制御部１１０は、再生モードでないと判断すると（ステップＳ８０のＮＯ）、通信モードであるかを判断する（ステップＳ１００）。主制御部１１０は、通信モードであると判断すると（ステップＳ１００のＹＥＳ）、記録制御部１６０は、操作者から送信指示された画像を画像記録部８０から読み出す。ファイル名付与部１７０は、送信画像のファイル名の識別記号に関連画像の記号を付与する（ステップＳ１０２）。
【００９０】
図１３のファイル名例１０は、送信画像のファイル名の例である。元画像のファイル名では、最終桁の識別記号は、代表画像を示す「１」である。送信画像のファイル名には、最終桁の識別記号に、関連画像を示す「０」が付与される。
【００９１】
通信部４２は、最終桁の識別記号に「０」が付与された新たなファイル名の画像を送信する（ステップＳ１０４）。主制御部１１０は、通信モードでないと判断した場合（ステップＳ１００のＮＯ）、及びステップＳ１０４の後は、ステップＳ１０に戻る。
【００９２】
[他の実施形態]
上述した実施形態では、最終桁の識別記号として、代表画像（単独画像を含む）には「１」、関連画像には「０」を付与すると説明した。しかし、逆に、代表画像（単独画像を含む）の識別記号を「０」、関連画像の識別記号を「１」にしてもよい。この例を、図１４のファイル名例１１に示す。ファイル名例１１は、図８のファイル名例４と同様な連写の例である。
【００９３】
・また、主制御部１１０やファイル名付与部は、ＣＰＵ２００によるソフトウェア処理により実現されると説明したが、これに限るものではなく、ゲートアレイ等からなるＩＣによりハードウェアで実現されてもよい。
・第１の識別記号を「１と０」の組わせとして説明したが、これに限るものではなく、他の数字、あるいは文字が含まれてもよい。
・第２の識別記号も「１００」に限るものではなく、他の文字列であってもよい。
【００９４】
・画像として静止画の例で説明したが、画像は動画であってもよい。また、動画と静止画が、関連するファイルを構成してもよい。
・また、ファイルとして画像ファイルの例を説明したが、画像に限定されるわけではない。例えば、音声ファイルに適用してもよい。例えば、編集処理で生成された複数の音声ファイル間の相互関係が、ファイル名によって判断できれば、管理が容易になる。また、複数の音声ファイルが合成される処理も頻繁になされる。合成に係る複数の音声ファイルの相互関係が、ファイル名によって容易に把握できれば、管理が容易になる。
【００９５】
[実施形態による効果]
上述した実施形態による効果を以下に列記する。
・ファイル名に、関連する他のファイルが存在するかを示す識別記号を付与したので、いちいちファイルを開かなくても、関連画像が存在するか否かを判断することができる。現状の画像ファイルでは、例えば、Exifファイルの検索をしないと、連写画像の存在が判断できない。本実施形態によれば、ファイル名リストを表示させるだけで、関連画像の存在を判断することができる。
・ファイル名本体部の最後の１桁を識別記号部としたので、ファイル番号（画像番号）の順に表示されるファイル名リスト上でも、表示順番への影響は少ない。
・連写等による組画像では、通常、撮影日付は共通なので、各ファイル名のそれぞれに日付が存在する必要はない。関連画像の日付部を第２の識別記号部にしたので、ファイル名から重要な情報を削ることなく、識別記号を付与することができる。
・編集前後の画像を、ファイル名リストで表示させると、続きで表示されない場合も多い。編集後の画像のファイル名には、編集前画像と異なる日付が付与されるからである。本実施形態によれば、ファイル名リスト上で、編集前後のファイル名が並んで表示されるので、編集に係る複数のファイルが、容易に把握することができる。
・送信されるファイルのファイル名に関連画像であることが明記されるので、送信先でオリジナルファイルが別途存在することを、容易に認識することができる。
【００９６】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用ができることはもちろんである。
【符号の説明】
【００９７】
１０  カメラ
２０    撮像部
３０    アクセサリ情報取得部
４０    時計部
４２    通信部
４４    操作部
５０    姿勢センサ
５２    ＧＰＳ
５４    方位センサ
６０    表示部
６２    タッチパネル
８０    画像記録部
８０ａ    第１記録部
８０ｂ    第２記録部
１００  カメラ制御部
１１０    主制御部
１２０    画像処理部
１３０    仮記録部
１４０    画像合成部
１５０    画像編集部
１６０    記録制御部
１７０    ファイル名付与部
１８０    操作判定部
１９０    表示制御部
２００    ＣＰＵ
２１０    ＲＯＭ
２２０    ＲＡＭ
【図１】
2020027545.tif 000003
【図２】
2020027545.tif 000004
【図３Ａ】
2020027545.tif 000005
【図３Ｂ】
2020027545.tif 000006
【図３Ｃ】
2020027545.tif 000007
【図３Ｄ】
2020027545.tif 000008
【図３Ｅ】
2020027545.tif 000009
【図３Ｆ】
2020027545.tif 000010
【図４Ａ】
2020027545.tif 000011
【図４Ｂ】
2020027545.tif 000012
【図４Ｃ】
2020027545.tif 000013
【図５】
2020027545.tif 000014
【図６】
2020027545.tif 000015
【図７】
2020027545.tif 000016
【図８】
2020027545.tif 000017
【図９】
2020027545.tif 000018
【図１０】
2020027545.tif 000019
【図１１】
2020027545.tif 000020
【図１２】
2020027545.tif 000021
【図１３】
2020027545.tif 000022
【図１４】
2020027545.tif 000023